(57)【要約】【課題】配置環境に応じて生ずるノイズに左右されることなく、適正且つ適時的にタッチ動作を検出することができることを可能とする。【解決手段】ノイズ測定モードで非接触式センサ（Ａ）が検出した反射赤外光のを読み出すことによりノイズ量の測定を行う（Ｓ４）。また、この測定したノイズ量が閾値より大きいか否かを判断する（Ｓ５）。この判断の結果、測定したノイズ量が閾値より大きい場合にはセンサ読み出し間隔を「２０ｍｓ」加算する（Ｓ６）。また、これとは逆に、測定したノイズ量が閾値以下である場合にはセンサ読み出し間隔を「２０ｍｓ」減算する（Ｓ７）。しかる後に、これら加算、減算して再設定した読み出し間隔の設定をＲＡＭに記憶させて保存する（Ｓ８）。ステップＳ１での判断の結果、人がいる場合、保存されているセンサ読み出し間隔で通常の非接触タッチを検出する（ステップＳ９）。【選択図】図３
2015068934.tif 000002
【特許請求の範囲】
【請求項１】
光を照射する光源と、
この光源から照射された光の状態を予め設定された読み出し間隔で読み出し、この読み出した光の状態に基づき動作の有無を検出する検出手段と、
この検出手段の検出動作に対して外乱となるノイズを測定する測定手段と、
この測定手段により測定されたノイズの大きさに基づき、前記検出手段の前記読み出し間隔を可変設定する設定手段と
を備えることを特徴とするセンサ装置。
【請求項２】
前記光源は、赤外光を照射するものであることを特徴とする請求項１記載のセンサ装置。
【請求項３】
前記測定手段は、前回の測定から一定時間が経過したか否かを判断する判断手段を備え、一定時間が経過した時点で測定を実行することを特徴とする請求項１又は２記載のセンサ装置。
【請求項４】
前記測定手段は、定期的に入力されるノイズを除外して測定を行うことを特徴とする請求項１、２又は３記載のセンサ装置。
【請求項５】
前記設定手段は、前記測定手段により測定されたノイズが閾値よりも大きい場合には読み出し間隔を増大させ、小さい場合には読み出し間隔を減少させることを特徴とする請求項１から４にいずれか記載のセンサ装置。
【請求項６】
前記増大或いは減少される前記読み出し間隔は定量値であることを特徴とする請求項５記載のセンサ装置。
【請求項７】
前記定量値は、前記測定手段により測定されたノイズの測定履歴に基づき、設定されることを特徴とする請求項６記載のセンサ装置。
【請求項８】
前記検出手段が前記測定手段を兼ねることを特徴とする請求項１から７にいずれか記載のセンサ装置。
【請求項９】
請求項１から８にいずれか記載のセンサ装置を備えることを特徴とするサイネージ。
【請求項１０】
スクリーン部と、このスクリーン部に投影する投影部とで構成され、前記センサ装置を前記スクリーン部に備えることを特徴とする請求項９記載のサイネージ。
【請求項１１】
光を照射する光源を備えるセンサ装置が有するコンピュータを、
前記光源から照射される光の状態を予め設定された読み出し間隔で読み出し、この読み出した光の状態に基づき動作の有無を検出する検出手段と、
この検出手段の検出動作に対して外乱となるノイズを測定する測定手段と、
この測定手段により測定されたノイズの大きさに基づき、前記検出手段の前記読み出し間隔を可変設定する設定手段と
して機能させることを特徴とするプログラム。
【請求項１２】
光を照射する光源を備えるセンサ装置の制御方法であって、
前記光源から照射される光の状態を予め設定された読み出し間隔で読み出し、この読み出した光の状態に基づき動作の有無を検出する検出ステップと、
この検出ステップの検出動作に対して外乱となるノイズを測定する測定ステップと、
この測定ステップにより測定されたノイズの大きさに基づき、前記検出ステップでの前記読み出し間隔を可変設定する設定ステップと、
を備えることを特徴とするセンサ制御方法。
【発明の詳細な説明】
【技術分野】
【０００１】
本発明は、センサ装置及びこれを用いたサイネージ、プログラム並びにセンサ制御方法に関するものである。
【背景技術】
【０００２】
従来より、投影装置を用いて商品販売等の広告を行う所謂デジタルサイネージが広く行われている（例えば、特許文献１参照）。このようなデジタルサイネージにおいては、店頭やビルの壁面を適宜スクリーン（投影面）として利用することにより、商品等に関連する表示データを随所で投影し、広告を行うことができる利点がある。
【０００３】
さらに、今日においては人型等の特殊な形状のスクリーンを用いるとともに、スクリーンの一部に非接触型の赤外線センサを設け、このセンサにより観覧者のタッチ動作を検出するタイプのサイネージも出現するに至っている。このタイプのサイネージの場合、観覧者のタッチ動作が検出されると、商品の詳細な説明が各国の言語でなされる等効果的な宣伝が可能となる。
【先行技術文献】
【特許文献】
【０００４】
【特許文献１】特開２０１１−１００３１６号公報
【発明の概要】
【発明が解決しようとする課題】
【０００５】
しかしながら、サイネージを用いて営業活動を行う場合、スクリーンを配置する環境は大きく異なり用いる赤外線センサの外乱（ノイズ）となる因子が極めて多い環境、時間とともも外乱が変化する環境等、様々である。したがって、センサ読み出し間隔が同一の赤外線センサを用いたサイネージを外乱環境が異なる複数の店舗に配置すると、配置店舗によっては、センサ読み出し間隔が短すぎてノイズをタッチ動作と誤認したり、逆にセンサ読み出し間隔が長すぎてタッチ動作の検出にタイムラグが生じてしまう。
【０００６】
本発明は、かかる実情に鑑みてなされたものであり、配置環境に応じて生ずるノイズに左右されることなく、適正且つ適時的に動作を検出することができるセンサ装置及びこれを用いたサイネージ、プログラム並びにセンサ制御方法を提供することを目的とする。
【課題を解決するための手段】
【０００７】
前記課題を解決するため本発明に係るセンサ装置は、光を照射する光源と、この光源から照射された光の状態を予め設定された読み出し間隔で読み出し、この読み出した光の状態に基づき動作の有無を検出する検出手段と、この検出手段の検出動作に対して外乱となるノイズを測定する測定手段と、この測定手段により測定されたノイズの大きさに基づき、前記検出手段の前記読み出し間隔を可変設定する設定手段とを備えることを特徴とする。
【０００８】
また、本発明に係るサイネージは、請求項１から８にいずれか記載のセンサ装置を備えることを特徴とする。
【０００９】
［請求項１０
スクリーン部と、このスクリーン部に投影する投影部とで構成され、前記センサ装置を前記スクリーン部に備えることを特徴とする請求項９記載のサイネージ。
【００１０】
また、本発明に係るプログラムは、光を照射する光源を備えるセンサ装置が有するコンピュータを、前記光源から照射される光の状態を予め設定された読み出し間隔で読み出し、この読み出した光の状態に基づき動作の有無を検出する検出手段と、この検出手段の検出動作に対して外乱となるノイズを測定する測定手段と、この測定手段により測定されたノイズの大きさに基づき、前記検出手段の前記読み出し間隔を可変設定する設定手段として機能させることを特徴とする。
【００１１】
また、本発明に係るセンサ装置の制御方法は、光を照射する光源を備えるセンサ装置の制御方法であって、前記光源から照射される光の状態を予め設定された読み出し間隔で読み出し、この読み出した光の状態に基づき動作の有無を検出する検出ステップと、この検出ステップの検出動作に対して外乱となるノイズを測定する測定ステップと、この測定ステップにより測定されたノイズの大きさに基づき、前記検出ステップでの前記読み出し間隔を可変設定する設定ステップと、を備えることを特徴とする。
【発明の効果】
【００１２】
本発明によれば、配置環境に応じて生ずるノイズに左右されることなく、適正且つ適時的に動作を検出することができる。
【図面の簡単な説明】
【００１３】
【図１】本発明の一実施の形態に係るサイネージの構成を示すブロック図である。
【図２】同実施の形態で用いるスクリーン及びサイネージ画像を示す図である。
【図３】同実施形態の処理手順を示すフローチャートである。
【発明を実施するための形態】
【００１４】
以下、本発明の一実施の形態を図に従って説明する。図１は、本発明の一実施の形態に係るサイネージの概略構成を示すブロック図である。このサイネージ１は、投影部２とこの投影部２により画像が投影される人型スクリーン部３とで構成されている。投影部２は、前記画像を投影するプロジェクタ２２と、このプロジェクタ２２が投影する画像を切換制御する制御部２１とを有している。なお、制御部２１は、ＣＰＵ、プログラムを記憶したＲＯＭ、ワークエリア等として使用されるＲＡＭ及びその周辺回路で構成され、投影部２と人型スクリーン部３の各部を全て制御する。
【００１５】
人型スクリーン部３は、センサユニット３０、センサドライバ３１、音声出力部３２を有している。センサユニット３０には、少なくとも下記センサが含まれている。
（Ａ）非接触式センサ・・・発光部と受光部とで構成され、発光部から発した赤外光の反射光を受                          光部で受光することにより、鑑賞者が指でタッチしようとしたタッチ                          動作を検出する。
（Ｂ）人感センサ・・・人型スクリーン部３の周辺に人がいるか否かを検出する。
【００１６】
センサドライバ３１は、これらセンサユニット３０を構成する各センサを駆動するものであり、また、これらセンサユニット３０を構成する各センサの検出信号は、センサドライバ３１を介して制御部２１に入力される。
【００１７】
音声出力部３２は、音声信号を復調する復調部、復調された音声信号を増幅する増幅部、この増幅部により増幅された音声信号を再生するスピーカ等で構成されている。
【００１８】
図２は、画像が投影される前記人型スクリーン部３、及びこの人型スクリーン部３上に投影により表示させるサイネージ画像５の一例を示す図である。人型スクリーン部３は、人体の上半身を模した形状、サイネージ画像５は着衣した人の上半身の画像である。そして、人型スクリーン部３上にこれと同一形状のサイネージ画像５が投影されている。また、サイネージ画像５の下部には、発生言語を指定するための複数の操作領域５１〜５４が投影表示されている。各操作領域５１〜５４には、前記音声出力部３２から発生させる商品説明に用いる言語が割り当てられており、また、各操作領域５１〜５４毎に前記センサユニット３０が有する非接触式センサ（Ａ）が配置されている。
【００１９】
つまり、人型スクリーン部３の裏面側の各操作領域５１〜５４に対応する部位に非接触式センサ（Ａ）が配置されている。また、各操作領域５１〜５４には貫通孔が形成されており、非接触式センサ（Ａ）から赤外光が人型スクリーン部３に放射され、また、その反射光も前記貫通孔から非接触式センサ（Ａ）に到達するように構成されているのである。
【００２０】
図３は、本実施の形態に係るサイネージ１の処理手順を示すフローチャートである。先ず、制御部２１は、センサユニット３０が有する人感センサ（Ｂ）からの検出信号に基づき、人型スクリーン部３の周辺に人がいるか否かを判断する（ステップＳ１）。そして、人がいない場合、つまり来客により操作領域５１〜５４が操作されることがない場合には、ステップＳ２以降の処理を実行し、人がいる場合、つまり来客により操作領域５１〜５４が操作されることがある場合には、ステップＳ８の処理を実行する。
【００２１】
人型スクリーン部３の周辺に人がおらず、操作領域５１〜５４が操作されることがない場合には、前回のノイズ測定から一定時間が経過したか否かを判断し（ステップＳ２）、一定時間が経過するまで待機する。前回のノイズ測定から一定時間が経過したならば、非接触式センサ（Ａ）の読み出し間隔を短く設定し、高速に読み出すノイズ測定モードを設定する（ステップＳ３）。引き続き、この高速に読み出すノイズ測定モードで非接触式センサ（Ａ）が検出した反射赤外光のを読み出すことによりノイズ量の測定を行う（ステップＳ４）。
【００２２】
このとき、当該ステップＳ４が繰り返されることによる履歴に基づき、人型スクリーン部３が配置されている店舗の光源等により定期的に測定されるノイズは、これを除外する。これにより、不定期的なノイズのみを測定することができる。
なお、定期的に測定されるノイズに関しても、測定したノイズ量から除外することなく、そのまま測定されたノイズ量として用いるようにしてもよい。
【００２３】
また、この測定したノイズ量が閾値より大きいか否かを判断する（ステップＳ５）。この判断の結果、測定したノイズ量が閾値より大きい場合には、現時点で保存されているセンサ読み出し間隔に「２０ｍｓ」を加算する（ステップＳ６）。また、これとは逆に、測定したノイズ量が閾値以下である場合には、現時点で保存されているセンサ読み出し間隔から「２０ｍｓ」を減算する（ステップＳ７）。しかる後に、これら加算、減算して再設定した読み出し間隔の設定をＲＡＭに記憶させて保存する（ステップＳ８）。
【００２４】
したがって、以上のステップＳ１〜ステップＳ８を一定時間毎に実行することにより、非接触式センサ（A）のセンサ読み出し間隔を、配置環境のノイズ量に応じて可変的に設定することができる。
【００２５】
しかも本実施の形態においては、定期的に入るノイズは測定ノイズ量から除外するようにしたことから、例えば店舗内の照明灯の各店舗に共通するノイズはこれを除去し、当該店舗等において特異なノイズ量を測定することができる。
【００２６】
他方、ステップＳ１での判断の結果、人がいる場合、つまり来客により操作領域５１〜５４が操作されることがあり得る場合には、保存されているセンサ読み出し間隔で通常の非接触タッチを検出する（ステップＳ９）。このとき、センサ読み出し間隔は、ノイズ量が閾値よりも大きい場合には長大化され（ステップＳ６）、ノイズ量が閾値以下である場合には短縮化されている（ステップＳ７）。したがって、このサイネージ１が用いられて、人型スクリーン部３が配置されている配置環境に応じて生ずるノイズに左右されることなく、非接触式センサ（A）により適正且つ適時的にタッチ（擬似的なタッチ動作、以下単にタッチ動作という）を検出することができる。
【００２７】
このようにして、タッチ動作が検出されると、検出された操作領域５１〜５４に対応する言語で、音声出力部から音声が発生し、商品の説明等がなされることとなる。
【００２８】
また、ステップＳ６及びステップＳ７において可変されるセンサの読み出し間隔を２０ｍｓと定量に設定することにより、ノイズ量が一時的に増大或いは減少したような場合においても、その測定値に応じて大きくセンサの読み出し間隔が変更されることはなく、一律２０ｍｓしか変更されないため、一時的なノイズ量の増減に影響されにくいセンサの読み出し間隔を設定できる。
【００２９】
また、本実施の形態においては、センサの読み出し間隔の変更幅を２０ｍｓとしたが、もちろんこれに限らない。例えば、測定されたノイズ量の履歴から、ノイズ量の変動が少ないと判断される場合にはセンサの読み出し間隔の変更幅を２０ｍｓより小さい、またノイズ量の変動が大きいと判断される場合にはセンサの読み出し間隔の変更幅を２０ｍｓより大きい値に設定してもよい。このようにすることで、使用環境におけるノイズ量の変動に基づいて適切なセンサの読み出し間隔の変更幅を設定することができる。
【００３０】
なお、本実施の形態においては、非接触式センサをサイネージ１における人型スクリーン部３に配置した場合を示したが、これに限ることなく例えばＬＣＤパネル等の表示パネルに配置される非接触式センサ等に適用できることは勿論である。
【００３１】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
【００３２】
［請求項１］
光を照射する光源と、
この光源から照射された光の状態を予め設定された読み出し間隔で読み出し、この読み出した光の状態に基づき動作の有無を検出する検出手段と、
この検出手段の検出動作に対して外乱となるノイズを測定する測定手段と、
この測定手段により測定されたノイズの大きさに基づき、前記検出手段の前記読み出し間隔を可変設定する設定手段と
を備えることを特徴とするセンサ装置。
【００３３】
［請求項２］
前記光源は、赤外光を照射するものであることを特徴とする請求項１記載のセンサ装置。
【００３４】
［請求項３］
前記測定手段は、前回の測定から一定時間が経過したか否かを判断する判断手段を備え、一定時間が経過した時点で測定を実行することを特徴とする請求項１又は２記載のセンサ装置。
【００３５】
［請求項４］
前記測定手段は、定期的に入力されるノイズを除外して測定を行うことを特徴とする請求項１、２又は３記載のセンサ装置。
【００３６】
［請求項５］
前記設定手段は、前記測定手段により測定されたノイズが閾値よりも大きい場合には読み出し間隔を増大させ、小さい場合には読み出し間隔を減少させることを特徴とする請求項１から４にいずれか記載のセンサ装置。
【００３７】
［請求項６］
前記増大或いは減少される前記読み出し間隔は定量値であることを特徴とする請求項５記載のセンサ装置。
【００３８】
［請求項７］
前記定量値は、前記測定手段により測定されたノイズの測定履歴に基づき、設定されることを特徴とする請求項６記載のセンサ装置。
【００３９】
［請求項８］
前記検出手段が前記測定手段を兼ねることを特徴とする請求項１から７にいずれか記載のセンサ装置。
【００４０】
［請求項９］
請求項１から８にいずれか記載のセンサ装置を備えることを特徴とするサイネージ。
【００４１】
［請求項１０］
スクリーン部と、このスクリーン部に投影する投影部とで構成され、前記センサ装置を前記スクリーン部に備えることを特徴とする請求項９記載のサイネージ。
【００４２】
［請求項１１］
光を照射する光源を備えるセンサ装置が有するコンピュータを、
前記光源から照射される光の状態を予め設定された読み出し間隔で読み出し、この読み出した光の状態に基づき動作の有無を検出する検出手段と、
この検出手段の検出動作に対して外乱となるノイズを測定する測定手段と、
この測定手段により測定されたノイズの大きさに基づき、前記検出手段の前記読み出し間隔を可変設定する設定手段と
して機能させることを特徴とするプログラム。
【００４３】
［請求項１２］
光を照射する光源を備えるセンサ装置の制御方法であって、
前記光源から照射される光の状態を予め設定された読み出し間隔で読み出し、この読み出した光の状態に基づき動作の有無を検出する検出ステップと、
この検出ステップの検出動作に対して外乱となるノイズを測定する測定ステップと、
この測定ステップにより測定されたノイズの大きさに基づき、前記検出ステップでの前記読み出し間隔を可変設定する設定ステップと、
を備えることを特徴とするセンサ制御方法。
【符号の説明】
【００４４】
１    サイネージ
２    投影部
３    人型スクリーン部
５    サイネージ画像
２１    制御部
２２    プロジェクタ
３０    センサユニット
３１    センサドライバ
３２    音声出力部
５１〜５４    操作領域
【図１】
2015068934.tif 000003
【図２】
2015068934.tif 000004
【図３】
2015068934.tif 000005